(57)【要約】【課題】部分洗いの作業性を向上させることのできる洗濯ホルダー及び洗濯機を提供する。【解決手段】洗濯ホルダー１は、洗濯物を第１の方向に保持する第１の保持部１１と、洗濯物を第１の方向と異なる第２の方向に保持する第２の保持部１２とを備える平板状の洗濯ホルダー１である。これにより、部分洗いに際して洗濯物をきちんと保持することができるため、両手が使え部分洗いの作業性が向上する。その結果、部分洗いの作業時間を短縮することも可能となる。【選択図】図１
2018114217.tif 000002
【特許請求の範囲】
【請求項１】
洗濯物を第１の方向に保持する第１の保持部と、
前記洗濯物を前記第１の方向と異なる第２の方向に保持する第２の保持部と、
を備える平板状の洗濯ホルダー。
【請求項２】
前記洗濯物は、襟と袖を備える衣類であり、
前記第１の保持部は、前記衣類の襟を保持し、
前記第２の保持部は、前記衣類の袖を保持する
請求項１に記載の洗濯ホルダー。
【請求項３】
前記洗濯ホルダーの平板面に対して略垂直な方向に突出するリブを備える請求項１又は２に記載の洗濯ホルダー。
【請求項４】
前記洗濯ホルダーの表面、裏面のいずれか一方に波状の段が形成されている請求項１〜３のいずれか１項に記載の洗濯ホルダー。
【請求項５】
洗濯機本体と、
前記洗濯機本体の開口を覆う蓋部とを備え、
請求項１〜４のいずれか１項に記載の洗濯ホルダーの少なくとも一部が挿入される挿入部を前記蓋部に備える洗濯機。
【請求項６】
前記挿入部に挿入された前記洗濯ホルダーを係止する係止部を前記蓋部に備える請求項５に記載の洗濯機。
【請求項７】
前記洗濯ホルダーが備える前記リブと係合する凹部を前記洗濯機本体に備え、
前記リブと前記凹部とが係合しているとき、前記洗濯機本体の開口の手前側が開放される請求項５又は６に記載の洗濯機。
【発明の詳細な説明】
【技術分野】
【０００１】
本実施の形態は、洗濯ホルダー及び洗濯機に関する。
【背景技術】
【０００２】
ワイシャツなどのシャツの襟や袖の汚れが酷いものに対しては、部分洗いを行ってから洗濯を開始しているのが実情である。その際には、洗濯機近傍、洗面所、風呂場などの別の場所で部分洗いを行っているが、場所の確保や持運び、作業性の面などで課題を有している。
【０００３】
最近は、汚れ落としスプレーや液体などが出回り、部分洗いの場所の確保や持運びの面で改善されている。特許文献１には、このような部分汚れ用液体洗剤を塗布する際、衣類を安定させて置き、作業できる洗擢作業台が提案されている。
【先行技術文献】
【特許文献】
【０００４】
【特許文献１】特開２００２−１１３２８７号公報
【発明の概要】
【発明が解決しようとする課題】
【０００５】
しかしながら、特許文献１に開示される洗擢作業台にシャツを置いた場合は、シャツの落下を抑えるために片手がふさがってしまう問題がある。また、特許文献１に開示される洗擢作業台の裏面には吸着盤があることから取扱に注意が必要になる問題もある。
【０００６】
本発明は、上述した従来の技術に鑑み、部分洗いの作業性を向上させることのできる洗濯ホルダー（洗濯機用の作業台）及び洗濯機を提供することを目的とする。
【課題を解決するための手段】
【０００７】
本実施の形態の一態様によれば、洗濯物を第１の方向に保持する第１の保持部と、前記洗濯物を前記第１の方向と異なる第２の方向に保持する第２の保持部とを備える平板状の洗濯ホルダーが提供される。
【０００８】
本実施の形態の他の一態様によれば、洗濯機本体と、前記洗濯機本体の開口を覆う蓋部とを備え、前記洗濯ホルダーの少なくとも一部が挿入される挿入部を前記蓋部に備える洗濯機が提供される。
【発明の効果】
【０００９】
本実施の形態によれば、部分洗いの作業性を向上させることのできる洗濯ホルダー及び洗濯機を提供することが可能である。
【図面の簡単な説明】
【００１０】
【図１】本実施の形態に係る洗濯ホルダーの正面図である。
【図２】本実施の形態に係る洗濯ホルダーの上面図である。
【図３】本実施の形態に係る洗濯ホルダーの右側面図である。
【図４】本実施の形態に係る洗濯機の基本構成を示す模式的構成図である。
【図５】本実施の形態に係る洗濯ホルダーの使用シーン１を示す斜視図である。
【図６】本実施の形態に係る洗濯ホルダーの使用シーン２を示す斜視図である。
【図７】本実施の形態に係る洗濯ホルダーの使用シーン３を示す斜視図である。
【図８】本実施の形態に係る洗濯ホルダーの使用シーン４を示す斜視図である。
【図９】本実施の形態に係る洗濯ホルダーの変形例の説明図である。
【発明を実施するための形態】
【００１１】
次に、図面を参照して、本実施の形態を説明する。以下の図面の記載において、同一又は類似の部分には同一又は類似の符号を付している。
【００１２】
［洗濯ホルダー］
図１〜図３は、本実施の形態に係る洗濯ホルダー１の外観図であり、図１は正面図、図２は上面図、図３は右側面図である。これらの図に示すように、洗濯ホルダー１は、洗濯機の操作直前に使用されるものであって、洗濯物を第１の方向に保持する第１の保持部１１と、洗濯物を第１の方向と異なる第２の方向に保持する第２の保持部１２とを備える平板状の洗濯ホルダー１である。
具体的には、ホルダー本体１０は、例えばＰＰ（ポリプロピレン）からなる横長の平板である。ホルダー本体１０の上端部１０Ｃの中央に円弧状の切り欠きを入れ、ホルダー本体１０の下端部１０Ａの左右に矩形状の切り欠きを入れている。
【００１３】
ホルダー本体１０の略中央部には第１の保持部１１が形成されている。第１の保持部１１は、主に、衣類１００の襟１０１（図７参照）の部分を横方向（第１の方向）に保持する襟保持部として利用される。ここでいう横方向とは、図１の正面図でいう左右方向である。矩形状の貫通孔１１Ｂをホルダー本体１０の表面１０＿１（図２、図３参照）側の上方から押さえ板１１Ａで覆う構造になっている。押さえ板１１Ａとホルダー本体１０との間の隙間は、衣類１００の襟１０１を通しやすい寸法に調整されている。押さえ板１１Ａは、衣類１００の襟１０１をしっかり保持することが可能なクリップ構造になっている。押さえ板１１Ａと対向する領域に貫通孔１１Ｂが形成されているため、押さえ板１１Ａの裏側が露出され、衛生的である。
【００１４】
ホルダー本体１０の下端部１０Ａには一対の第２の保持部１２が形成されている。第２の保持部１２は、主に、衣類１００の袖１０２（図８参照）の部分を縦方向（第２の方向）に保持する袖保持部として利用される。ここでいう縦方向とは、図１の正面図でいう上下方向である。ホルダー本体１０の下端から上方に伸びる直線状の挿通領域１２Ａの先に略円形の保持領域１２Ｂを貫通形成している。挿通領域１２Ａや保持領域１２Ｂの大きさは、衣類１００の袖１０２を通しやすい寸法に調整されている。挿通領域１２Ａよりも保持領域１２Ｂを大きくしているため、挿通領域１２Ａから通した袖１０２を保持領域１２Ｂでしっかり保持することが可能である。
【００１５】
ホルダー本体１０の裏面１０＿２の上端部１０Ｃには、背面側に突出する一対のリブ１３が形成され、ホルダー本体１０の裏面１０＿２の左右端部１０Ｂには、背面側に突出する一対のリブ１４が形成されている。これらリブ１３，１４は、衣類１００の重さや振動などによる洗濯ホルダー１の位置ずれを防止するためのものであるが、詳細については後述する。
【００１６】
［洗濯機］
図４は、本実施の形態に係る洗濯機２の基本構成を示す模式的構成図である。この図に示すように、洗濯機２は、洗濯機本体２０と、蓋部３０とを備える。
【００１７】
洗濯機本体２０は、外箱２０Ａの内側に洗濯槽２１、脱水槽２６が配置され、洗濯槽２１の下方中央部にパルセーター２３が配置され、クラッチ２４を介して駆動機構２５が配置された構造となっている。外箱２０Ａは、各部品を装着している外装である。洗濯槽２１は、洗濯、すすぎ、脱水を行うときに洗濯物を入れる槽である。パルセーター２３は、洗濯槽２１内で回転することにより水流を作り出す翼である。クラッチ２４は、洗濯と脱水の切り替えを行う軸受け機構である。駆動機構２５は、脱水槽２６やパルセーター２３を回すためのモーター２５Ａやベルト２５Ｂなどである。ここでは図示を省略しているが、給水弁や排水弁、制御基板など、一般的な洗濯機が備える各種部品を備えることは言うまでもない。
【００１８】
蓋部３０は、洗濯機本体２０の開口２２（図５参照）を覆う蓋である。開口２２は、言い換えると、洗濯物を投入する際の投入口である。蓋部３０は、例えば、前蓋３０Ａと後蓋３０Ｂとをヒンジ結合した二つ折りの蓋である。後蓋３０Ｂの内側には、洗濯ホルダー１を収納するための収納機構を設けておくのが望ましい（後述する）。
【００１９】
［使用シーン］
以下、図５〜図８を用いて洗濯ホルダー１の使用シーンについて説明する。ここでは、洗濯物として、襟１０１と袖１０２を備える衣類（シャツ）１００を例示し、襟１０１や袖１０２の部分に汚れ落としスプレーや液体などを塗布する部分洗いの作業を例示する。
【００２０】
図５は、本実施の形態に係る洗濯ホルダー１の使用シーン１を示す斜視図である。使用シーン１では、蓋部３０を開いた状態で、洗濯ホルダー１を収納した状態を示している。具体的には、図５に示すように、後蓋３０Ｂの内側のヒンジ３３寄りに挿入部３１が設けられ、この挿入部３１の隙間に洗濯ホルダー１の下端部１０Ａが挿入されている。挿入部３１の形状は、洗濯ホルダー１の装脱着を簡単にするため、ホルダー本体１０の下端部１０Ａが挿入され、ホルダー本体１０の左右端部１０Ｂがはみ出す寸法の横長ポケット状とするのが望ましい。また、後蓋３０Ｂの上方中央部に係止部３２が設けられ、挿入部３１に挿入された洗濯ホルダー１の上端部１０Ｃが係止部３２により係止されている。係止部３２としては、例えば、鉤形のフックなどを採用することができる。このような収納機構によれば、使用者は、ホルダー本体１０の上端部１０Ｃや左右端部１０Ｂを持って簡単に洗濯ホルダー１の装脱着を行うことが可能である。
【００２１】
図６は、本実施の形態に係る洗濯ホルダー１の使用シーン２を示す斜視図である。使用シーン２では、蓋部３０を開いた状態で、洗濯ホルダー１を洗濯機２の開口２２の上に取り付けた状態を示している。具体的には、図６に示すように、ホルダー本体１０の裏面１０＿２の上端部１０Ｃに形成された一対のリブ１３を洗濯機本体２０のヒンジ３３周りに形成された凹部（ヒンジ避け）３４に係合させている。このとき、ホルダー本体１０の裏面１０＿２の左右端部１０Ｂに形成された一対のリブ１４が洗濯機本体２０の開口２２よりも若干内側に配置されることになる。このような構成によれば、上端部１０Ｃのリブ１３が洗濯機２側の凹部３４に係合し、左右端部１０Ｂのリブ１４が洗濯機２側の開口２２の内側に接触しやすくなるため、前後方向にも左右方向にも洗濯ホルダー１の位置ずれを簡単に抑えることができる。開口２２から下に向かって傾斜が付いている場合は、その傾斜面にリブ１４が線接触するように寸法を調整しておくのが望ましい。なお、一対のリブ１３とヒンジ３３周りに形成された凹部３４との係合だけにより洗濯ホルダー１の位置ずれを前後方向にも左右方向にも防止できるのであれば、一対のリブ１４はなくすことができる。
【００２２】
なお、洗濯ホルダー１の幅は、洗濯機２の開口２２の幅よりも大きく、洗濯機２の全体（外箱２０Ａ）の幅と同程度であるかそれよりも小さい。また、洗濯ホルダー１の高さは、後蓋３０Ｂの高さよりも小さい。もちろん、洗濯ホルダー１の幅や高さなどの寸法は、洗濯機２側の構造に合わせて適宜変更することが可能である。
【００２３】
図７は、本実施の形態に係る洗濯ホルダー１の使用シーン３を示す斜視図である。使用シーン３では、前蓋３０Ａが折り曲げられた状態で、洗濯ホルダー１に衣類１００の襟１０１が保持されている状態を示している。具体的には、図７に示すように、洗濯ホルダー１を洗濯機２に置いた状態では、洗濯ホルダー１の平板状の部分が衣類１００の載置面となる。使用者からみて手前側に第１の保持部１１のクリップが開いているため、その隙間に衣類１００の襟１０１を簡単に通すことができる。また、このとき、洗濯ホルダー１は、洗濯機本体２０の開口２２の奥側にあるため、開口２２の手前側が開放されることになる。そのため、衣類１００の襟１０１以外の部分を洗濯槽２１に落とし込んだ状態で襟１０１の部分に汚れ落としスプレーや液体などを塗布することが可能である。
【００２４】
図８は、本実施の形態に係る洗濯ホルダー１の使用シーン４を示す斜視図である。使用シーン４では、前蓋３０Ａが折り曲げられた状態で、洗濯ホルダー１に衣類１００の袖１０２が保持されている状態を示している。具体的には、図８に示すように、洗濯ホルダー１を洗濯機２に置いた状態では、使用者からみて第２の保持部１２の挿通領域１２Ａがくるため、挿通領域１２Ａからその先の保持領域１２Ｂまで衣類１００の袖１０２を簡単に通すことができ、衣類１００の袖１０２を洗濯ホルダー１の平板状の部分（載置面）に広げることができる。このときも、洗濯ホルダー１は、洗濯機本体２０の開口２２の奥側にあるため、開口２２の手前側が開放されることになる。そのため、衣類１００の袖１０２以外の部分を洗濯槽２１に落とし込んだ状態で袖１０２の部分に汚れ落としスプレーや液体などを塗布することが可能である。
【００２５】
このように襟１０１や袖１０２の部分に汚れ落としスプレーや液体などを塗布し終えたら、その衣類１００を洗濯槽２１の中に落とし込む。別の洗濯物がある場合は、同様の作業を繰り返す。全ての洗濯物を洗濯槽２１の中に落とし込んだら、蓋部３０を持ち上げて洗濯ホルダー１を後蓋３０Ｂの内側に収納し（図５参照）、蓋部３０を閉め、操作パネルＰを操作して洗濯を開始する。
【００２６】
もちろん、洗濯の作業手順はこれに限定されるものではない。洗濯物も衣類１００に限定されるものではなく、タオルなども同様に部分洗いすることが可能である。
【００２７】
［変形例］
図９は、本実施の形態に係る洗濯ホルダー１の変形例の説明図である。上記の実施の形態では、洗濯ホルダー１は、洗濯機２と分離して後蓋３０Ｂの内側に収納される形態を例示したが、これに限定されるものではない。すなわち、洗濯ホルダー１は、洗濯機２と一体であってもよい。具体的には、図９に示すように、洗濯ホルダー１から蓋部３０の奥側にある回動軸Ｏまで伸びる腕部１５を備え、蓋部３０の回動軸Ｏを洗濯ホルダー１の回動軸Ｏとして共用してもよい。この場合も、後蓋３０Ｂの上方中央部に係止部３２（不図示）を設けておく点は同様である。このような構成によれば、蓋部３０を単独で回動させることができるのはもちろん、係止部３２による係止を解除した状態では洗濯ホルダー１を単独で回動させることもできる。
【００２８】
また、洗濯ホルダー１の形状、大きさ、材質などは適宜変更することが可能である。例えば、上記の実施の形態では、平板状のホルダー本体１０の上端部１０Ｃの中央に円弧状の切り欠きを入れ、ホルダー本体１０の下端部１０Ａの左右に矩形状に切り欠きを入れているが、平板状のホルダー本体１０の下端部１０Ａの中央に円弧状の切り欠きを入れることもできる。また、ホルダー本体１０の裏面１０＿２（平板面内）にリブ１３を形成しているが（図１参照）、ホルダー本体１０の上端面（平板面外）にリブ１３を取り付けてもよい。第１の保持部１１や第２の保持部１２の形状、数、配置、材質なども適宜変更することが可能である。
【００２９】
また、ホルダー本体１０の表面１０＿１、裏面１０＿２のいずれか一方に波状の段（突起、溝など）を多数形成すれば、洗濯ホルダー１を洗濯板として用いることができる。例えば、衣類１００を洗濯槽２１の中に落とし込む前に、洗濯機２の開口２２の上に取り付けた洗濯ホルダー１（図６参照）の表面１０＿１に襟１０１や袖１０２をこすりつけて洗うようにしてもよい。洗濯ホルダー１を洗濯機２から取り外せば、洗濯ホルダー１の表面１０＿１だけでなく裏面１０＿２も同様に洗濯板として用いることが可能である。
【００３０】
以上のように、本実施の形態に係る洗濯ホルダー１は、洗濯物を第１の方向に保持する第１の保持部１１と、洗濯物を第１の方向と異なる第２の方向に保持する第２の保持部１２とを備える平板状の洗濯ホルダー１である。これにより、部分洗いに際して洗濯物をきちんと保持することができるため、両手が使え部分洗いの作業性が向上する。その結果、部分洗いの作業時間を短縮することも可能となる。
【００３１】
また、洗濯物は、襟１０１と袖１０２を備える衣類１００であり、第１の保持部１１は、衣類１００の襟１０１を保持し、第２の保持部１２は、衣類１００の袖１０２を保持している。これにより、衣類１００の襟１０１や袖１０２が洗濯ホルダー１に保持されるため、両手を使って汚れ落としスプレーや液体などを塗布することが可能となる。
【００３２】
また、ホルダー本体１０の平板面に対して略垂直な方向に突出するリブ１３，１４を備えている。これにより、リブ１３，１４を洗濯機２の内部筐体の所定位置に係合させ、衣類１００の重さや振動などによる洗濯ホルダー１の位置ずれを防止することが可能となるため、両手が使えて作業が簡単になる。
【００３３】
また、ホルダー本体１０の表面１０＿１、裏面１０＿２のいずれか一方に波状の段が形成されていてもよい。これにより、洗濯ホルダー１を洗濯板としても利用することができるため、更に部分洗いの作業性が向上する。
【００３４】
また、本実施の形態に係る洗濯機２は、洗濯機本体２０と、洗濯機本体２０の開口２２を覆う蓋部３０とを備え、洗濯ホルダー１の少なくとも一部が挿入される挿入部３１を蓋部３０に備えている。これにより、洗濯ホルダー１の装脱着が簡単で、洗濯ホルダー１を収納するために別のスペースを確保する必要もない。
【００３５】
また、挿入部３１に挿入された洗濯ホルダー１を係止する係止部３２を蓋部３０に備えている。これにより、洗濯ホルダー１が蓋部３０に係止されるため、蓋部３０の開閉時に洗濯ホルダー１がガタガタしたり、落下したりしない。
【００３６】
また、洗濯ホルダー１が備えるリブ１３と係合する凹部３４を洗濯機本体２０に備え、リブ１３と凹部３４とが係合しているとき、洗濯機本体２０の開口２２の手前側が開放されている。これにより、洗濯物の一部を洗濯槽２１に落とし込んだ状態で効率よく作業することができ、また、洗濯機２の外が汚れない効果もある。
【００３７】
［その他の実施の形態］
上記のように、いくつかの実施の形態について記載したが、開示の一部をなす論述および図面は例示的なものであり、限定するものであると理解すべきではない。この開示から当業者には様々な代替実施の形態、実施例および運用技術が明らかとなろう。例えば、洗濯機に載置する方向を変えて洗濯ホルダーを使用することや洗濯機以外の場所で洗濯ホルダーを使用することも可能である。
【００３８】
このように、本実施の形態は、ここでは記載していない様々な実施の形態などを含む。
【符号の説明】
【００３９】
１…洗濯ホルダー
２…洗濯機
１０…ホルダー本体
１０Ａ…下端部
１０Ｂ…左右端部
１０Ｃ…上端部
１１…第１の保持部
１１Ａ…押さえ板
１１Ｂ…貫通孔
１２…第２の保持部
１２Ａ…挿通領域
１２Ｂ…保持領域
１３，１４…リブ
２０…洗濯機本体
２０Ａ…外箱
２１…洗濯槽
２２…開口
２３…パルセーター
２６…脱水槽
３０…蓋部
３１…挿入部
３２…係止部
３３…ヒンジ
３４…凹部
１００…衣類
１０１…襟
１０２…袖
Ｏ…回動軸
Ｐ…操作パネル
【図１】
2018114217.tif 000003
【図２】
2018114217.tif 000004
【図３】
2018114217.tif 000005
【図４】
2018114217.tif 000006
【図５】
2018114217.tif 000007
【図６】
2018114217.tif 000008
【図７】
2018114217.tif 000009
【図８】
2018114217.tif 000010
【図９】
2018114217.tif 000011